(57)【要約】      （修正有）【課題】高い表示品位で動画を表示可能な液晶装置を提供する。【解決手段】制御回路部は、第Ｎフレーム、第Ｎ＋１フレーム、及び第Ｎ＋２フレームの一部の期間第１サブフレームに続いて到来し、第Ｎフレーム、第Ｎ＋１フレーム、及び第Ｎ＋２フレームの夫々の半分以上の時間幅を有する第２サブフレームにおいて、画素電極の夫々の電位差が小さくなるように、駆動回路部を制御することによって残像９１を低減する。具体的には、第Ｎフレームの第２サブフレームにおいて補正済みの黒表示信号が第（ｉ＋３）画素部に供給されるように制御する。同様に、第Ｎ＋１フレーム、及び第Ｎ＋２フレームの夫々における第２サブフレームにおいて、制御回路部の制御下における駆動回路部の動作によって、第（ｉ＋２）画素部、及び、第（ｉ＋１）画素部の夫々に補正済みの画像信号である黒画像信号が供給される。【選択図】図７
2010066442.tif 000002
【特許請求の範囲】
【請求項１】
基板上の表示領域に形成された第１画素電極を有する第１画素部と、
前記表示領域において前記第１画素電極に隣り合うように形成された第２画素電極を有しており、前記第１画素部と相互に共通の走査線に電気的に接続された第２画素部と、
前記表示領域に表示されるべき動画の一部を構成する一枚分の単位画像を前記表示領域に表示する期間である１フレームにおいて、前記第１画素部に黒表示を行わせると共に前記第２画素部に白表示を行わせるように、前記第１画素部及び前記第２画素部を駆動する駆動回路部と、
前記１フレームの一部の期間である第１サブフレームに続いて到来し、且つ、前記１フレームの半分以上の時間幅を有する第２サブフレームにおいて、前記第１画素電極及び前記第２画素電極の夫々の電位間の電位差が小さくなるように、前記駆動回路部を制御する制御手段と
を備えたことを特徴とする液晶装置。
【請求項２】
前記制御手段は、前記第２サブフレームにおいて、前記黒表示及び前記白表示の夫々を規定する２値信号のうち前記黒表示に対応する黒表示信号の電位と、前記２値信号のうち前記白表示に対応する白表示信号の電位との間の電位を有する補正済みの画像信号が前記第１画素電極及び前記第２画素電極のうち少なくとも一方の画素電極に供給されるように、前記駆動回路部を制御すること
を特徴とする請求項１に記載の液晶装置。
【請求項３】
基板上の表示領域に形成された第１画素電極を有する第１画素部と、
前記表示領域において前記第１画素電極に隣り合うように形成された第２画素電極を有しており、前記第１画素部と相互に共通の走査線に電気的に接続された第２画素部と、
前記表示領域に表示されるべき動画の一部を構成する一枚分の単位画像を前記表示領域に表示する期間である１フレームにおいて、前記第１画素部に黒表示を行わせると共に前記第２画素部に白表示を行わせるように前記第１画素部及び前記第２画素部を駆動する駆動回路部と、
前記１フレームの一部の期間である第１サブフレームに続いて到来し、且つ、前記１フレームの半分以上の時間幅を有する第２サブフレームにおいて、前記第１画素電極及び前記第２画素電極の夫々の電位間の電位差が小さくなるように、前記第１画素電極及び前記第２画素電極を相互に電気的に接続している抵抗素子と
を備えたことを特徴とする液晶装置。
【請求項４】
請求項１から３の何れか一項に記載された液晶装置を具備してなること
を特徴とする電子機器。
【発明の詳細な説明】
【技術分野】
【０００１】
本発明は、例えば、時分割駆動を採用する液晶装置、及びそのような液晶装置を具備してなるプロジェクタ等の電子機器の技術分野に関する。
【背景技術】
【０００２】
この種の液晶装置では、相互に隣り合う画素間で発生する横電界の影響を低減し、色再現性の高いカラー画像を表示可能な液晶表示装置が開示されている（例えば、特許文献１参照。）。
【０００３】
【特許文献１】特開２０００−３３００８４号公報
【発明の開示】
【発明が解決しようとする課題】
【０００４】
しかしながら、液晶装置によって動画を表示する場合、相互に隣り合う画素間において発生する横電界に起因して液晶の配向状態に乱れが生じてしまう。このような配向状態の乱れを消失させるために要する時間は、通常、一のフレームから当該一のフレームの次に到来する他のフレームにフレームが切り替わる時間より長い。したがって、横電界に起因して発生する液晶状態の乱れによって、動画を表示した際に生じ得る残像イメージ等の尾引きが発生してしまい、動画の表示品位を低下させてしまう。
【０００５】
よって、本発明は上記問題点等に鑑みてなされたものであり、例えば、高い表示品位で動画を表示可能な液晶装置、及びそのような液晶装置を具備してなるプロジェクタ等の電子機器を提供することを課題とする。
【課題を解決するための手段】
【０００６】
本発明の第１の発明に係る液晶装置は上記課題を解決するために、基板上の表示領域に形成された第１画素電極を有する第１画素部と、前記表示領域において前記第１画素電極に隣り合うように形成された第２画素電極を有しており、前記第１画素部と相互に共通の走査線に電気的に接続された第２画素部と、前記表示領域に表示されるべき動画の一部を構成する一枚分の単位画像を前記表示領域に表示する期間である１フレームにおいて、前記第１画素部に黒表示を行わせると共に前記第２画素部に白表示を行わせるように、前記第１画素部及び前記第２画素部を駆動する駆動回路部と、前記１フレームの一部の期間である第１サブフレームに続いて到来し、且つ、前記１フレームの半分以上の時間幅を有する第２サブフレームにおいて、前記第１画素電極及び前記第２画素電極の夫々の電位間の電位差が小さくなるように、前記駆動回路部を制御する制御手段とを備えている。
【０００７】
本発明に係る液晶装置によれば、第１画素部及び第２画素部の夫々は、例えば、基板上の表示領域を構成するようにマトリクス状に設けられた複数の画素部の一部である。第１画素部及び第２画素部の夫々は、相互に共通の走査線に電気的に接続されており、当該走査線を介して共通の走査信号を供給可能に構成されている。より具体的には、例えば、第１画素部及び第２画素部の夫々が有する画素スイッチング用素子の動作が、これら画素部間で相互に共通である走査線を介して供給された走査信号によって制御される。
【０００８】
駆動回路部は、例えば、走査線を介して各画素部をスイッチング制御する走査線駆動回路と、画像信号を各画素部に供給するデータ線駆動回路とを含んで構成されている。このような駆動回路部は、フレーム毎に画像信号を各画素部に供給可能に構成されている。本発明に係る液晶装置によれば、その動作時において、時間軸に沿って相連続する複数のフレームの夫々において表示領域に単位画像が順次表示される。このように連続して表示される単位画像によって動画が構成される。駆動回路部は、例えば、デジタル化された画像信号を各画素部に供給し、当該画像信号に電位に応じて画素部に白表示或いは黒表示させる。ここで、「黒表示」とは、画素部における光の透過率が略０％である状態をいい、「白表示」とは、画素部における光の透過率が略１００％である状態、言い換えれば、バックライト等の光源光が液晶層を略１００％透過する状態をいう。駆動回路部は、当該液晶装置の動作時において、各画素部における黒表示及び白表示の夫々が表示される表示時間の合計時間、及び組み合わせを変更することによって、表示すべき単位画像に応じて、各画素部の輝度を設定する。
【０００９】
ここで、動画の表示品位を低下させてしまう残像現象は、１フレームの後半を占める期間において、相互に隣り合う画素電極間に生じる横電界に起因して生じる液晶の配向状態の乱れが主たる原因である。したがって、制御手段は、前記１フレームの一部の期間である第１サブフレームに続いて到来し、且つ、前記１フレームの半分以上の時間幅を有する第２サブフレームにおいて、前記第１画素電極及び前記第２画素電極の夫々の電位間の電位差が小さくなるように、前記駆動回路部を制御する。
【００１０】
したがって、本発明に係る液晶装置によれば、相互に異なる光の透過率を有する第１画素部及び第２画素部の夫々について、第１画素電極及び前記第２画素電極の夫々の電位の電位差に起因してこれら画素電極間に生じる横電界を低減できる。よって、本発明に係る液晶装置によれば、動画が表示される際に生じ得る尾引き等の残像によって生じるディスクリネーションラインの発生を低減でき、高品位の動画を表示可能である。
【００１１】
本発明の第１の発明に係る液晶装置の一の態様では、前記制御手段は、前記第２サブフレームにおいて、前記黒表示及び前記白表示の夫々を規定する２値信号のうち前記黒表示に対応する黒表示信号の電位と、前記２値信号のうち前記白表示に対応する白表示信号の電位との間の電位を有する補正済みの画像信号が前記第１画素電極及び前記第２画素電極のうち少なくとも一方の画素電極に供給されるように、前記駆動回路部を制御してもよい。
【００１２】
この態様によれば、第１画素電極及び第２画素電極の夫々の電位差を白表示信号の電位及び黒表示信号の電位間の電位差より小さくできる。したがって、動画を表示する際に、白表示信号の電位及び黒表示信号の電位間の電位差に起因して生じる横電界を低減でき、動画を表示した際に生じ得る残像を低減できる。
【００１３】
本発明の第２の発明に係る液晶装置は上記課題を解決するために、基板上の表示領域に形成された第１画素電極を有する第１画素部と、前記表示領域において前記第１画素電極に隣り合うように形成された第２画素電極を有しており、前記第１画素部と相互に共通の走査線に電気的に接続された第２画素部と、前記表示領域に表示されるべき動画の一部を構成する一枚分の単位画像を前記表示領域に表示する期間である１フレームにおいて、前記第１画素部に黒表示を行わせると共に前記第２画素部に白表示を行わせるように前記第１画素部及び前記第２画素部を駆動する駆動回路部と、前記１フレームの一部の期間である第１サブフレームに続いて到来し、且つ、前記１フレームの半分以上の時間幅を有する第２サブフレームにおいて、前記第１画素電極及び前記第２画素電極の夫々の電位間の電位差が小さくなるように、前記第１画素電極及び前記第２画素電極を相互に電気的に接続している抵抗素子とを備えている。
【００１４】
本発明に係る液晶装置によれば、第１画素部及び第２画素部、並びに駆動回路部は、上述の液晶装置と同様の構成を有している。
【００１５】
抵抗素子は、例えば、第１画素部及び第２画素部の夫々における液晶素子の抵抗値より２乃至３桁程度低い抵抗値を有しており、第２フレームにおいて前記第１画素電極及び前記第２画素電極の夫々の電位間の電位差が小さくなるように、前記第１画素電極及び前記第２画素電極を相互に電気的に接続している。より具体的には、例えば、第２フレームにおいて、黒表示に対応する画像信号が第１画素電極に供給され、白表示に対応する画像信号が第２画素電極に供給された場合、第１画素電極及び第２画素電極のうち電位の高い一方の画素電極から電位の低い他方の画素電極に電流が流れ、当該電流が流れた分、これら画素電極間の電位差が小さくなる。
【００１６】
したがって、本発明に係る液晶装置によれば、上述の第１の発明に係る液晶装置と同様に、相互に異なる光の透過率を有する第１画素部及び第２画素部の夫々について、第１画素電極及び前記第２画素電極の夫々の電位の電位差に起因してこれら画素電極間に生じる横電界を低減できる。したがって、本発明に係る液晶装置によれば、動画が表示される際に生じ得る尾引き等の残像でき、ディスクリネーションラインの発生を低減可能である。
【００１７】
本発明の第３の発明に係る電子機器は上記課題を解決するために、上述した本発明の第１及び第２の発明の夫々に係る液晶装置を具備してなる。
【００１８】
本発明に係る電子機器によれば、上述した本発明の第１及び第２の夫々に係る液晶装置を具備してなるので、残像が殆ど発生しない高品位の動画を表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００１９】
本発明のこのような作用及び他の利得は次に説明する実施形態から明らかにされる。
【発明を実施するための最良の形態】
【００２０】
以下、図面を参照しながら、本発明の第１及び第２の発明に係る液晶装置、並びに、本発明の第３の発明に係る電子機器の各実施形態を説明する。
【００２１】
＜第１実施形態＞
図１乃至図９を参照しながら、本発明の第１の発明に係る液晶装置の一実施形態である液晶装置１を説明する。
【００２２】
＜１−１：液晶装置の構成＞
先ず、図１乃至図４を参照しながら、本実施形態に係る液晶装置１の構成を説明する。図１は、本実施形態に係る液晶装置１の電気的な構成を示したブロック図である。
【００２３】
図１において、液晶装置１は、表示部２００、駆動回路部２１０、及び本発明の「制御手段」の一例である制御回路部２２０を備えており、その動作時において、外部回路部２３０から駆動回路部２１０に供給される各種信号に応じて表示部２００に画像を表示可能に構成されている。
【００２４】
表示部２００は、基板上にマトリクス状に設けられた複数の画素部から構成されており、例えば、プロジェクタ等の電子機器の一部として当該電子機器に搭載された状態で、バックライト等の光源から出射された光を各画素部における液晶分子と偏光板等によって変調する。このような液晶分子に印加される電圧、即ち液晶分子を駆動するための駆動電圧は、当該液晶装置１の動作時において、表示部２００を構成する各画素部に供給された画像信号に応じて設定される。尚、液晶装置１は、複数の画素部からなる表示部２００の画像表示領域に画像を表示する直視型ディスプレイとして用いられてもよいし、表示部２００から出射された表示光をスクリーンに投射することによって当該スクリーンに画像を表示可能なプロジェクタのライトバルブとして用いられてもよい。
【００２５】
駆動回路部２１０は、表示部２００を構成する複数の画素部の夫々に画像信号を供給するデータ線駆動回路、及び、各画素部のオンオフをスイッチング制御する走査信号を走査線を介して表示部２００に供給する走査線駆動回路等の各種回路を含んで構成された回路部である。駆動回路部２１０は、表示部２００が動画を表示する際のフレーム毎に画像信号を各画素部に供給可能に構成されている。液晶装置１によれば、動画を表示する際に、時間軸に沿って相連続する複数のフレームの夫々において表示部２００の画像表示領域に単位画像が順次表示される。このように連続して表示される単位画像によって動画が構成される。駆動回路部２１０は、デジタル化された画像信号を各画素部に供給し、当該画像信号に電位に応じて画素部に白表示或いは黒表示させる。ここで、「黒表示」とは、画素部における光の透過率が略０％である状態をいい、「白表示」とは、画素部における光の透過率が略１００％である状態、言い換えれば、バックライト等の光源光が液晶層を略１００％透過する状態をいう。駆動回路部２１０は、液晶装置１の動作時において、各画素部における黒表示及び白表示の夫々が表示される表示時間の合計、及び組み合わせを変更することによって、表示すべき単位画像に応じて各画素部の輝度を設定する。
【００２６】
制御回路部２２０は、液晶装置１の動作時において、より具体的には、表示部２００に動画が表示される際に、表示部２００が動画を表示する画像表示領域に尾引き等の残像が残らないように、即ちディスクリネーション等の筋状の表示不良が発生しないように、駆動回路部２１０を制御する。制御回路部２２０の動作については、後述する液晶装置の駆動方法を説明する際に詳細に説明する。
【００２７】
次に、図２及び図３を参照しながら、液晶装置１の具体的な構成を説明する。図２は、ＴＦＴアレイ基板をその上に形成された各構成要素と共に対向基板の側から見た液晶装置１の概略的な平面図であり、図３は、図２のＩＩＩ−ＩＩＩ´断面図である。
【００２８】
図２及び図３において、液晶装置１では、ＴＦＴアレイ基板１０と、ＴＦＴアレイ基板１００に対向配置された対向基板２０とを備えている。ＴＦＴアレイ基板１０及び対向基板２０間には液晶層５０が封入されており、ＴＦＴアレイ基板１０及び対向基板２０は、本発明の「表示領域」の典型例である画像表示領域１０ａの周囲に位置するシール領域に設けられたシール材５２を介して相互に接着されている。
【００２９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００３０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続される。また。データ線駆動回路１０１及び走査線駆動回路１０４と共に、不図示の制御回路部２２０がＴＦＴアレイ基板１０上に形成されている。
【００３２】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これら上下導通端子及び上下導通材１０６により、ＴＦＴアレイ基板１０及び対向基板２０間で電気的な導通をとることができる。
【００３３】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。
【００３４】
次に、図４を参照しながら、表示部２００の画像表示領域１０ａにおける電気的構成を詳細に説明する。図４は、液晶装置１が有する表示部２００の画像表示領域１０ａにおける回路構成を示した回路図である。表示部２００は、液晶装置１の画像表示領域１０ａを構成する複数の画素部７２を備えている。複数の画素部７２は、画像表示領域１０ａにおいて図４中のＸ方向及びＹ方向に沿ってマトリクス状に形成されている。
【００３５】
画素部７２は、画素電極９ａ、トランジスタ素子Ｔｒ、及び、液晶素子５０ａを備えている。トランジスタ素子Ｔｒは、例えば、画素スイッチング用ＴＦＴである。トランジスタ素子Ｔｒは、デジタル信号化された画像信号が供給されるデータ線６ａと、画素電極９ａとに電気的に接続されており、液晶装置１の動作時に画素電極９ａをスイッチング制御する。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３６】
トランジスタ素子Ｔｒのゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、トランジスタ素子Ｔｒのドレインに電気的に接続されており、スイッチング素子であるトランジスタ素子Ｔｒを一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極との間で一定期間保持される。
【００３７】
尚、各画素部７２の一部を構成する画素電極９ａのうち共通の走査線に電気的に接続され、且つ図４中Ｘ方向に沿って相互に隣り合うように配置された画素電極９ａの夫々が、本発明の「第１画素電極」及び「第２画素電極」の夫々の一例であり、これら画素電極９ａを含んでなる画素部７２の夫々が、本発明の「第１画素部」及び「第２画素部」の一例である。
【００３８】
液晶層５０に含まれる液晶は、印加される電圧レベルにより分子集合の配向や秩序が変化することにより、光を変調し、階調表示を可能とする。本実施形態では、表示部２００に供給される画像信号は、白表示及び黒表示の夫々に対応したＨｉｇｈ又はＬｏｗの２値の電位をとるデジタル信号である。このような画像信号は、液晶装置１の動作時に各画素電極９ａに供給される。
【００３９】
したがって、例えば、液晶装置１がノーマリーホワイトモードで画像を表示する液晶装置であれば、Ｈｉｇｈの電位を有する画像信号が供給されると画素部７２における入射光の透過率が減少し、画素部は黒表示を行う。また、液晶装置１がノーマリーブラックモードで画像を表示する液晶装置であれば、Ｈｉｇｈの電位を有する画像信号が供給されると、画素部７２における入射光の透過率が増大し、画素部は白表示を行う。このような画素部７２の駆動によって、液晶装置１は、画像信号に応じたコントラストを持つ光を出射できる。蓄積容量７０は、固定電位線３００に電気的に接続されており、画像信号がリークすることを防ぐために、画素電極９ａと対向電極との間に形成される液晶素子５０ａと並列に付加されている。
【００４０】
＜１−２：液晶装置の駆動方法＞
次に、図５乃至図８を参照しながら、液晶装置１の駆動方法を説明しつつ、液晶装置１を構成する主要な構成要素の詳細な動作を説明する。図５は、相連続するフレームの夫々において表示される白表示及び黒表示の比較例を模式的に示した模式図であり、図６は、相連続するフレームの夫々において表示される白表示及び黒表示の比較例において発生する横電界を模式的に示した模式図である。図７は、本実施形態に係る液晶装置１の駆動方法において、相連続するフレームの夫々において表示される白表示及び黒表示を模式的に示した模式図であり、図８は、本実施形態に係る液晶装置１の駆動方法において、相連続するフレームの夫々において表示される白表示及び黒表示において発生する横電界を模式的に示した模式図である。
【００４１】
尚、図５及び図７では、画像表示領域１０ａにおいてマトリクス状に設けられた複数の画素部７２のうち相互に同一の行に設けられ、且つ行方向に沿って連続して配列された５つの画素部における白表示及び黒表示を例に挙げており、図７及び図８では、図５及び図６に示した部分と共通する部分に共通の参照符号を付している。
【００４２】
また、以下では、デジタル化された画像信号のうちＨｉｇｈレベルの画像信号の電位を固定電位線３００の電位Ｖ０に対して５Ｖ高いＶ０＋５（Ｖ）とし、Ｌｏｗレベルの画像信号の電位を固定電位線３００の電位Ｖ０と同電位であるＶ０とする。加えて、駆動方法の説明をより簡便にするために、便宜上、固定電位線３００の電位Ｖ０を０（Ｖ）とし、Ｈｉｇｈレベルの画像信号が供給された画素電極９ａの電位を５（Ｖ）とする。加えて、以下では、液晶装置１がノーマリーブラックモードで画像を表示する場合を例に挙げる。
【００４３】
図５に示すように、液晶装置１が動画を表示した場合、時間軸に沿って順次到来する第Ｎフレーム、第Ｎ＋１フレーム、及び第Ｎ＋２フレームのうち最初に到来する第Ｎフレームにおいて、第（ｉ）画素部から第（ｉ＋３）画素部までにＬｏｗレベルの画像信号が供給される。したがって、第Ｎフレームでは、第（ｉ）画素部から第（ｉ＋３）画素部の夫々において、画素電極と、当該画素電極に対向する対向電極との間の液晶層５０に印加される電圧は、０（Ｖ）であり、これら４つの画素部は黒表示を行う。これと並行して、第（ｉ＋４）画素部にＨｉｇｈレベルの画像信号が供給される。したがって、第Ｎフレームでは、第（ｉ＋４）画素部において、画素電極と、当該画素電極に対向する対向電極との間の液晶層５０に印加される電圧は、５（Ｖ）であるため、第（ｉ＋４）画素部は白表示を行う。ここで、第Ｎフレームでは、相互に隣り合い、且つ、黒表示及び白表示の夫々を行っている画素部は、第（ｉ＋３）画素部及び第（ｉ＋４）画素部である。
【００４４】
第Ｎフレームに続いて到来する第Ｎ＋１フレームでは、第（ｉ）画素部から第（ｉ＋２）画素部までにＬｏｗレベルの画像信号が供給され、これら画素部が黒表示を行う。これと並行して、第（ｉ＋３）画素部及び第（ｉ＋４）画素部にＨｉｇｈレベルの画像信号が供給され、白表示が行われる。
【００４５】
第Ｎ＋１フレームに続いて到来する第Ｎ＋２フレームでは、第（ｉ）画素部及び第（ｉ＋１）画素部にＬｏｗレベルの画像信号が供給され、これら画素部が黒表示を行う。これと並行して、第（ｉ＋２）画素部から第（ｉ＋４）画素部にＨｉｇｈレベルの画像信号が供給され、白表示が行われる。
【００４６】
第Ｎフレームから第Ｎ＋２フレームに亘って画像表示領域１０ａに表示された単位画像からなる動画を見た場合、白表示及び黒表示の境界は、第（ｉ＋４）画素部及び第（ｉ＋３）画素部の境界から、第（ｉ＋２）画素部及び第（ｉ＋１）画素部の境界まで順次移動していく。
【００４７】
ここで、図６を参照しながら、相互に隣り合い、且つ黒表示及び白表示の夫々を行う２つの画素部の夫々が有する画素電極間に発生する横電界を説明する。
【００４８】
図６に示すように、液晶装置１は、ＴＦＴアレイ基板１０と、ＴＦＴアレイ基板１０に対向するように配置された対向基板２０と、これら基板間に設けられた画素電極９ａ１及び９ａ２、並びに、配向膜１６、液晶層５０、配向膜２２、対向電極２１を備えており、相互に隣り合う画素電極９ａ１及び９ａ２の夫々の電位と、対向電極２１の電位との電位差に応じた電圧が各画素電極上の液晶層５０に印加されることによって、液晶層５０による光の変調が可能となっている。白表示及び黒表示の夫々を行い、且つ相互の隣り合う画素部の夫々に設けられた画素電極９ａ１及び９ａ２の夫々の電位は、Ｖ０、及びＶ０＋５（Ｖ）であり、これら画素電極間の電位差は、５（Ｖ）である。したがって、画素電極９ａ１及び９ａ２間には、５（Ｖ）の電圧に対応する電界強度を持った横電界Ｅが作用し、液晶分子の配向状態に乱れを生じさせてしまう。このような液晶分子の配向状態の乱れによれば、画像表示領域１０ａに動画が表示された際、ディスクリネーションを発生させてしまい、動画の表示品位を低下させてしまう。より具体的には、図５に示すように、白表示及び黒表示の夫々を行う２つの画素部の境界に近い領域に、縞状の残像９０を発生させてしまう。そこで、液晶装置１は、次に説明するように、液晶装置１に特有の構成によって実行可能な液晶装置の駆動方法によって、縞状の残像９０を低減する。
【００４９】
図７及び図８を参照しながら、本実施形態に係る液晶装置１を駆動する駆動方法を説明する。
【００５０】
図７及び図８に示すように、液晶装置１によれば、制御回路部２２０は、各々が本発明の「１フレーム」の一例である第Ｎフレーム、第Ｎ＋１フレーム、及び第Ｎ＋２フレームの夫々の一部の期間である第１サブフレームに続いて到来し、且つ、第Ｎフレーム、第Ｎ＋１フレーム、及び第Ｎ＋２フレームの夫々の半分以上の時間幅を有する第２サブフレームにおいて、画素電極９ａ１及び画素電極９ａ２の夫々の電位間の電位差が小さくなるように駆動回路部２１０を制御することによって、残像９０を低減可能である。
【００５１】
より具体的には、制御回路部２２０は、第Ｎフレーム、第Ｎ＋１フレーム、及び第Ｎ＋２フレームの夫々の第２サブフレームにおいて、黒表示及び白表示の夫々を規定する画像信号の電位を補正することによって補正済みの画像信号をデータ線駆動回路１０１から出力させるように、データ線駆動回路１０１を制御すると共に、１つのフレームにおいて第１サブフレーム及び第２サブフレームの夫々において各画素部に補正済みの画像信号が供給可能となるように、走査線駆動回路１０４を制御する。
【００５２】
図７に示すように、制御回路部２２０は、第Ｎフレームの第２サブフレームにおいて第
黒表示に対応する補正済みの画像信号である黒表示信号が第（ｉ＋３）画素部に供給されるように、駆動回路部２１０を制御する。これと同様に、第Ｎ＋１フレーム、及び第Ｎ＋２フレームの夫々における第２サブフレームにおいて、制御回路部２２０の制御下における駆動回路部２１０の動作によって、第（ｉ＋２）画素部、及び、第（ｉ＋１）画素部の夫々に補正済みの画像信号である黒画像信号が供給される。ここで、黒画像信号は、例えば、画素電極の電位を０Ｖに設定する補正前の画像信号に比べて、電位が高められた信号であり、その電位は、Ｌｏｗレベルの画像信号の電位である０（Ｖ）から、白表示に対応した画像信号の電位である５（Ｖ）までの範囲に含まれる１（Ｖ）である。
【００５３】
したがって、図８に示すように、相互に隣り合い、且つ白表示及び黒表示の夫々を行う画素部に設けられた画素電極９ａ１及び９ａ２の夫々の電位は、各フレームの一部を占める第２サブフレームにおいて、１（Ｖ）及び５（Ｖ）の夫々に設定され、これら画素電極間の電位差は、５（Ｖ）より小さい４（Ｖ）になる。したがって、横電界Ｅの大きさは、画像信号を補正しない場合に作用する横電界Ｅの大きさ（５（Ｖ））より小さい４（Ｖ）になる。よって、図７に示すように、残像９０に比べて筋状の残像９１を低減できる。
【００５４】
このように液晶装置１によれば、動画を表示する際に生じる可能性がある尾引きに起因するディスクリネーションライン等の表示不良を低減でき、動画の表示品位を高めることが可能である。
【００５５】
（変形例）
次に、図９を参照しながら、第１実施形態に係る液晶装置１が実行可能な液晶装置の駆動方法の変形例を説明する。図９は、本例に係る液晶装置の駆動方法において、相連続するフレームの夫々において表示される白表示及び黒表示を模式的に示した模式図である。
【００５６】
図９に示すように、液晶装置１によれば、制御回路部２２０は、各フレームの第２サブフレームにおいて、前記黒表示及び前記白表示の夫々を規定するＬｏｗレベル及びＨｉｇｈレベルの夫々の電位を有する画像信号のうち黒表示に対応する黒表示信号の電位と、白表示に対応する白表示信号の電位との間の電位を有する補正済みの画像信号が、画素電極９ａ１及び画素電極９ａ２のうち少なくとも一方の画素電極に供給されるように、駆動回路部２１０を制御する。
【００５７】
より具体的には、第Ｎフレームの第２サブフレームにおいて、第（ｉ＋３）画素部に１（Ｖ）の電位を有する補正済みの画像信号が供給され、第（ｉ＋４）画素部の４（Ｖ）の電位を有する画像信号が供給される。ここで、例えば、第（ｉ＋３）画素部が有する画素電極を画素電極９ａ１とし、第（ｉ＋４）画素部が有する画素電極を画素電極９ａ２とすると、画素電極９ａ１及び９ａ２間の作用する横電界Ｅの大きさは、３（Ｖ）になる。したがって、画像信号を補正しない場合に比べて、横電界Ｅを小さくできる。同様に、第Ｎ＋１フレーム、及び第Ｎ＋３フレームの夫々の第２サブフレームにおいても、相互に隣り合い、且つ黒表示及び白表示を行う２つの画素部である第（ｉ＋２）画素部及び第（ｉ＋３）画素部と、第（ｉ＋１）画素部及び第（ｉ＋２）画素部との夫々に補正済みの画像信号が供給される。
【００５８】
したがって、本例に係る液晶装置の駆動方法によれば、相互の隣り合う画素電極９ａ１及び９ａ２間に作用する横電界を低減できるため、横電界によって生じる液晶分子の配向状態の乱れを低減でき、ディスクリネーションライン等の表示不良を低減可能である。
【００５９】
尚、補正済みの画像信号は、画素電極９ａ１及び画素電極９ａ２のうち少なくとも一方の画素電極に供給されていれば横電界による筋状の残像を低減することが可能である。
【００６０】
＜第２実施形態＞
次に、図１０及び図１１を参照しながら、本発明の第２の発明に係る液晶装置の一実施形態である液晶装置５００を説明する。尚、本実施形態に係る液晶装置５００は、上述の第１実施形態に係る液晶装置１が備える制御回路部２２０に代えて、各画素電極を相互に電気的に接続する抵抗素子を備えている点に特徴を有している。したがって、以下では、液晶装置１と共通する部分に共通の参照符号を付し、詳細な説明を省略する。
【００６１】
図１０を参照しながら、本実施形態に係る液晶装置５００の構成を説明する。図１０は、液晶装置５００が有する表示部の画像表示領域における回路構成を示した回路図である。図１１は、横電界が緩和される状態を模式的に示した模式図である。
【００６２】
図１０に示すように、液晶装置５００は、相互に隣り合う画素電極９ａを相互に電気的に接続する抵抗素子８０を備えている。抵抗素子８０は、例えば、ＴＦＴアレイ基板上に形成された抵抗層であり、液晶装置５００が動画を表示する際に、上述の液晶装置１と同様に、１フレームの一部の期間である第１サブフレームに続いて到来し、且つ、当該１フレームの半分以上の時間幅を有する第２サブフレームにおいて、相互に隣り合う２つの画素電極の夫々の電位間の電位差が小さくなるように、これら２つの画素電極を相互に電気的に接続している。
【００６３】
より具体的には、図１１（ａ）に示すように、相互に隣り合う２つの画素電極９ａ１及び９ａ２が抵抗素子８０によって相互に電気的に接続されていない場合、画素電極９ａ１には黒表示に対応した黒画像信号、即ち電位が０（Ｖ）の画像信号が供給される。これと並行して、画素電極９ａ２には白表示に対応した白表示信号、即ち電位が５（Ｖ）の画像信号が供給される。したがって、画素電極９ａ１及び９ａ２が抵抗素子８０によって相互に電気的に接続されていない場合には、これら画素電極間に作用する横電界Ｅの電界強度は、５（Ｖ）の電位差に相当する大きさである。
【００６４】
一方、図１１（ｂ）に示すように、画素電極９ａ１及び９ａ２が抵抗素子８０によって相互に電気的に接続されている場合、画素電極９ａ１及び９ａ２の夫々に、黒表示に対応した黒表示信号と、白表示に対応した白表示信号との夫々が供給されると、抵抗素子８０を介してこれら画素電極間に電流Ｉが流れ、これら画素電極の夫々の電位差が低減される。より具体的には、画素電極９ａ１の電位は、０（Ｖ）から１（Ｖ）に高められ、画素電極９ａ２の電位は、５（Ｖ）から４（Ｖ）に低下する。したがって、これら画素電極間に作用する横電界Ｅの電界強度は、３（Ｖ）の電位差に相当する大きさに弱められ、横電界Ｅに起因して生じる液晶分子の配向状態の乱れが低減される。
【００６５】
よって、本実施形態に係る液晶装置５００によれば、上述の第１実施形態に係る液晶装置１と同様に、相互に異なる光の透過率を有する２つの画素部の夫々について、これら画素部の夫々が有する画素電極の夫々の電位の電位差に起因して生じる横電界を低減できるため、動画が表示される際に生じ得る尾引き等の残像でき、ディスクリネーションラインの発生を低減可能である。
【００６６】
尚、このようなに横電界Ｅの大きさを低減可能な抵抗素子８０の抵抗値は、光を偏重する液晶素子の抵抗値より２桁から３桁小さい値であればよい。より具体的には、例えば、抵抗素子の抵抗値は、例えば、１０ＭΩ程度あればよい。
【００６７】
＜電子機器＞
次に、図１２を参照しながら上述した液晶装置を電子機器の一例であるプロジェクタに適用した場合について説明する。図１２は、本実施形態に係るプロジェクタの構成を示した平面図である。
【００６８】
図１２において、プロジェクタ１１００内部には、ハロゲンランプ等の白色光源からなるランプユニット１１０２が設けられている。ランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂ及び１１１０Ｇに入射される。これら３つのライトバルブ１１１０Ｒ、１１１０Ｂおよび１１１０Ｇは夫々液晶装置１を含む液晶モジュールを用いて構成されている。
【００６９】
ライトバルブ１１１０Ｒ、１１１０Ｂおよび１１１０Ｇにおいて液晶装置１は、画像信号供給回路３００から供給されるＲ、Ｇ、Ｂの原色信号でそれぞれ駆動されるものである。これらの液晶装置１によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７０】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【００７１】
尚、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７２】
このようにプロジェクタ１１００によれば、上述の液晶装置１又は５００を含んで構成されているため、動画を表示する際に生じる残像を低減でき、高品位の動画を表示可能である。
【図面の簡単な説明】
【００７３】
【図１】第１実施形態に係る液晶装置の電気的構成を示したブロック図である。
【図２】第１実施形態に係る液晶装置の具体的な構成を示した平面図である。
【図３】図２のＩＩＩ−ＩＩＩ´断面図である。
【図４】第１実施形態に係る液晶装置の画像表示領域を構成する複数の画素部を示した回路図である。
【図５】第１実施形態に係る液晶装置の動作時において、相連続するフレームの夫々において表示される白表示及び黒表示の比較例を模式的に示した模式図である。
【図６】第１実施形態に係る液晶装置の動作時において、相連続するフレームの夫々において表示される白表示及び黒表示の比較例において発生する横電界を模式的に示した模式図である。
【図７】第１実施形態に係る液晶装置１の駆動方法において、相連続するフレームの夫々において表示される白表示及び黒表示を模式的に示した模式図である。
【図８】第１実施形態に係る液晶装置１の駆動方法において、相連続するフレームの夫々において表示される白表示及び黒表示において発生する横電界を模式的に示した模式図である。
【図９】第１実施形態の変形例に係る液晶装置の駆動方法において、相連続するフレームの夫々において表示される白表示及び黒表示を模式的に示した模式図である。
【図１０】第２実施形態に係る液晶装置が有する表示部の画像表示領域における回路構成を示した回路図である。
【図１１】第２実施形態に係る液晶装置の動作時において、横電界が緩和される状態を模式的に示した模式図である。
【図１２】本発明に係る電子機器の一実施形態であるプロジェクタの平面図である。
【符号の説明】
【００７４】
１，５００・・・液晶装置、７２・・・画素部、８０・・・抵抗素子、２００・・・表示部、２１０・・・駆動回路部、２２０・・・制御回路部、９ａ，９ａ１，９ａ２・・・画素電極
【図１】
2010066442.tif 000003
【図２】
2010066442.tif 000004
【図３】
2010066442.tif 000005
【図４】
2010066442.tif 000006
【図５】
2010066442.tif 000007
【図６】
2010066442.tif 000008
【図７】
2010066442.tif 000009
【図８】
2010066442.tif 000010
【図９】
2010066442.tif 000011
【図１０】
2010066442.tif 000012
【図１１】
2010066442.tif 000013
【図１２】
2010066442.tif 000014